(57)【特許請求の範囲】
【請求項１】
編集機能の選択、さらには編集する着信音の選択を行った後、表示部は編集画面に移行し、
前記編集画面には、
編集項目毎に、編集項目を表す文字と、該文字で表された項目の編集を実施する数字キーとが隣接して表示され、前記数字キーに対応するキー操作部中の数字キーを操作すると、前記文字で表示された項目の編集が実施され、同時に前記文字は編集後の内容に切り替わって表示されることを特徴とする通信端末。
【請求項２】
前記編集画面に表示される数字キーのうち第１の数字キーは、着信音の複数のパートのうち所望のパートを選択する数字キーであり、第２の数字キーは、前記パートの音色を選択する数字キーであることを特徴とする請求項１に記載の通信端末。
【請求項３】
前記編集する着信音はダウンロード着信音であることを特徴とする請求項１または２に記載の通信端末。
【請求項４】
前記項目毎のキーに加えて試聴用のキーが前記編集画面に表示され、この試聴用キーに対応するキー操作部のキーを操作すると、前記編集画面の状態で試聴が行われることを特徴とする請求項１ないし３のいずれかに記載の通信端末。
【発明の詳細な説明】
【０００１】
【発明の属する技術分野】
本発明は、ＰＨＳ電話機や携帯電話機あるいは家庭用の固定電話機などの通信端末に係り、特に着信音を編集する機能に関する。
【０００２】
【従来の技術】
例えば携帯電話機においては、自作したりサービスセンタなどから着信音をダウンロードしてそれを自機の着信音とすることができる。さらに、それらの着信音を編集して編集後の着信音を自機の着信音とすることもできる。
【０００３】
従来、例えばダウンロードした着信音を編集する場合は、図３（ａ）の着信音作成画面４１で“編集”を選択し、さらに図３（ｂ）の編集画面（着信音リスト）４２で編集するダウンロード着信音（例えばダウンロード１）を選択した後、図３（ｃ）のメニュ画面４３に進んで編集する項目（例えばパート音色）を選択する。すると、選択した項目のデータ一覧が例えば図３（ｄ）および（ｅ）の画面４４，４５に示すように表示されるから、その中から希望のデータを選択する。これにより、図３（ｃ）のメニュ画面４３で選択した項目の元のデータが図３（ｄ）および（ｅ）に示すようなデータ一覧から選択されたデータに変更される。以後、図３（ｃ）のメニュ画面４３で項目を選択することと、図３（ｄ）および（ｅ）または、(ｆ)や（ｇ）に示すような編集する項目から希望するデータを選択することを繰り返して、着信音の各種のデータを希望のデータに変更する（編集する）。編集された着信音は、図３（ｂ）の編集画面４２に戻って“試聴”キーを操作することにより試聴できる。
【０００４】
【発明が解決しようとする課題】
しかしながら、上記のような従来の編集方法では、表示部の画面を切り替えて項目の選択と項目内のデータの選択を繰り返さなければならず、また試聴する場合は図３（ｂ）の編集画面４２に戻って“試聴”キーを操作しなければないため、編集から試聴までの一連の操作に時間がかかり、編集効率が悪い欠点があった。
【０００５】
本発明は上記の点に鑑みなされたもので、自作したり、ダウンロードした着信音の編集を手早く行うことができ編集効率が向上する通信端末を提供することを目的とする。
【０００６】
【課題を解決するための手段】
本発明の通信端末は、編集機能の選択、さらには編集する着信音の選択を行った後、表示部は編集画面に移行し、前記編集画面には、編集項目毎に、編集項目を表す文字と、該文字で表された項目の編集を実施する数字キーとが隣接して表示され、前記数字キーに対応するキー操作部中の数字キーを操作すると、前記文字で表示された項目の編集が実施され、同時に前記文字は編集後の内容に切り替わって表示されることを特徴とする。
【０００７】
好ましい形態として、前記編集画面に表示される数字キーのうち第１の数字キーは、着信音の複数のパートのうち所望のパートを選択する数字キーであり、第２の数字キーは、前記パートの音色を選択する数字キーである。また、前記編集する着信音はダウンロード着信音である。さらに、前記項目毎のキーに加えて試聴用のキーが前記編集画面に表示され、この試聴用キーに対応するキー操作部のキーを操作すると、前記編集画面の状態で試聴が行われる。
【０００８】
【発明の実施の形態】
次に添付図面を参照して本発明による通信端末の実施の形態を詳細に説明する。図２は本発明の通信端末の実施の形態として携帯電話機を示すブロック図である。この図において、１１は電話機全体を制御するＭＰＵであり、ベースバンドＩＣ１２、音声コーデック回路１３、ＣＰＵ１４で構成される。ＣＰＵ１４には、フラッシュメモリ１５とＲＡＭ１６が接続される。このフラッシュメモリ１５とＲＡＭ１６は、ＭＰＵ１１の内部に取り込むこともできる。ＣＰＵ１４は、フラッシュメモリ１５に格納されている動作処理手順を規定するプログラムに従って指定された処理を、ベースバンドＩＣ１２、音声コーデック回路１３およびキー操作部１７からの信号に基づいて実行し、ベースバンドＩＣ１２、音声コーデック回路１３および表示部１８を制御する。その際、ＣＰＵ１４は、ＲＡＭ１６を、フラッシュメモリ１５に記憶されたプログラムを実行するときのワークエリアとして使用する。このＲＡＭ１６には、文字入力の際の辞書機能の一つである学習機能データが記憶される。一方、フラッシュメモリ１５には、メッセージセンタから受信した文字メッセージや、文字パターン（英、数を含む）／アイコン（図形）などのフォント情報、さらには電話帳情報、自作着信音、ダウンロードした着信音などが記憶される。
【０００９】
キー操作部１７はＣＰＵ１４に接続され、電話番号入力、メール入力、着信音の編集等を行う。表示部１８はＬＣＤからなりＣＰＵ１４に接続され、キー操作部１７から入力された各種の情報、履歴、メニュー等を表示する。さらに、表示部１８は、着信音の作成画面または編集画面を表示する。
【００１０】
ＲＦ部２０は、アンテナ１９で受信した信号をベースバンドＩＣ１２に復調用信号として出力するＲＦ受信回路と、ベースバンドＩＣ１２からの変調信号をアンテナ１９に送信信号として出力するＲＦ送信回路とからなり、アンテナ１９に対するＲＦ受信回路とＲＦ送信回路の切替えは図示しない切替えスイッチにより行われる。
【００１１】
ベースバンドＩＣ１２はＣＰＵ１４によって制御され、音声信号やＲＦ信号を変復調する。ベースバンドＩＣ１２の出力である音声信号は音声コーデック回路１３によってＤ／Ａ変換と増幅された後スピーカ２１を駆動する。一方、マイクロホン２２から入力された音声信号は音声コーデック回路１３で増幅とＡ／Ｄ変換された後ベースバンドＩＣ１２で変調され、さらに前記ＲＦ部２０を介してアンテナ１９より送信信号として送信される。
【００１２】
上記のような携帯電話機においては、サービスセンタなどから着信音をダウンロードしてそれを自機の着信音とすることができる。さらに、ダウンロードした着信音を編集して編集後の着信音を自機の着信音とすることもできる。その際、ダウンロードした着信音は図１に示すようにして編集される。
【００１３】
図１（ａ）は、着信音の新規作成か編集かを選択する表示部１８の画面１８ａである。この画面１８ａでキー操作部１７により“編集”を選択すると、次に表示部１８の画面は図１（ｂ）の画面１８ｂとなり、電話機内に保存されている編集できる着信音リストが表示される。そこで、このリスト中から編集するダウンロード着信音、例えば“ダウンロード１”をキー操作部１７により選択する。すると、表示部１８の画面は、図１（ｃ）の編集画面１８ｃとなる。
【００１４】
この編集画面１８ｃでは、選択された着信音の名称、例えば“ダウンロード１”が画面の上方部分に表示される。また、画面の上部左端には数字の「５」キー３１と編集パートを意味する例えば“Ｐ１”の文字が表示されて、キー操作部１７の数字の「５」キーにより着信音（複数のパートで構成される）中から所望の編集パートを選択できることが示される。さらに、それらの右側には数字の「６」キー３２と音色例えば“ピアノ”が表示されて、キー操作部１７の数字の「６」キーにより音色の選択が可能なことが示される。
【００１５】
さらに、編集画面１８ｃの下部左端には第１の設定キー３３と“メニュ”の文字が表示されて、キー操作部１７の第１の設定キーの操作によりメニュ画面に進むことができることが示される。さらに、それらの右側には第2の設定キー３４と“試聴”の文字が表示されて、キー操作部１７の第2の設定キーの操作により試聴が可能であることが示される。さらに、編集画面１８ｃの下部右端にはアップ／ダウンキー３５と“音量”の文字が表示されて、キー操作部１７のアップ／ダウンキーにより音量を変更できることが示される。さらに、編集画面１８ｃの中央部には、キー操作部１７のアップ／ダウンキーにより変更可能な音量が例えば“パート音量：７”で示される。
【００１６】
したがって、上記のような編集画面１８ｃになると、そこに表示されたキーの種類を参考にして、編集画面１８ｃのまま、キー操作部１７の対応するキーを操作することにより、編集画面１８ｃの状態で、着信音中の編集パートの選択、選択された編集パートにおける音色の変更、同選択パートにおける音量の変更を実施することができる。
【００１７】
具体的には、キー３１を参考にしてキー操作部１７の数字の「５」キーを操作すれば、着信音の複数のパートから、編集するパートを選択することができ、選択されたパートは現在のパート表示から切り替わってキー３１の右隣に“Ｐ１”、“Ｐ２”、“Ｐ３”などの文字で表示される。また、キー３２を参考にしてキー操作部１７の数字の「６」キーを操作すれば、音色を変更することができ、変更された音色は現在の音色表示から切り替わってキー３２の右隣に“ピアノ”、“グランドピアノ”、“電子ピアノ”などの文字で表示される。さらに、キー３５を参考にしてキー操作部１７のアップ／ダウンキーを操作すれば、音量を変更することができ、変更された音量は現在の音量表示から切り替わって編集画面１８ｃの中央部に“パート音量：７”などとして表示される。ここで、音量および前記音色は、前記選択された編集パートにおいて変更されることになる。また、音色は、“ピアノグループ”、“ベースグループ”または“ドラムセットグループ”などの各グループ内だけで例えば“フラットピアノ”、“グランドピアノ”、“電子ピアノ”という具合に変更されるが、同一キーまたは別キーで、“ピアノグループ”、“ベースグループ”、“ドラムセットグループ”などの複数のグループに跨って音色を変更できるようにすることもできる。また、グループ変更用のキーを設けて、希望のグループを選んだ後に音色を変更するようにしてもよい。
【００１８】
さらに、上記の編集画面１８ｃになると、キー３４を参考にしてキー操作部１７の第２の設定キーを操作することにより、編集画面１８ｃのまま、選択されたパートに関しての編集後（または編集中）の音を試聴できる。
【００１９】
このように、上記の携帯電話機によれば、編集画面１８ｃの状態で、この画面１８ｃに表示されたキーを参考にしてキー操作部１７のキーを操作すれば、編集画面１８ｃのまま、着信音中の編集パートの選択から各編集項目別の編集、さらには試聴まで手早く行うことができ、ダウンロード着信音の編集効率が向上する。
【００２０】
なお、編集画面１８ｃ上にテンポの変更を行うキーを表示させて、対応するキー操作部１７のキーによりテンポの変更も編集画面１８ｃの状態で行うことができるようにすることもできる。さらに、上記の実施の形態は、上記の編集方法を携帯電話機に利用した場合であるが、携帯電話機に限らず、ＰＨＳ電話機や家庭用の固定電話機でダウンロード着信音を編集するときにも上記の編集方法は利用できる。また、上記の実施の形態では画面１８ｂにおいて“ダウンロード１”を選択したが、“自作着メロ１”を選択した場合も、以降の動作は同じである。
【００２１】
【発明の効果】
以上詳細に説明したように本発明の通信端末によれば、着信音の編集を手早く行うことができ編集効率が向上する。
【図面の簡単な説明】
【図１】表示部の画面表示を示し、本発明の実施の形態の動作を説明するための図。
【図２】本発明による通信端末の実施の形態を示すブロック図。
【図３】表示部の画面表示を示し、従来の編集方法を説明するための図。
【符号の説明】
１７  キー操作部
１８  表示部
１８ｃ  編集画面
３１〜３５  キー
【図１】
0003830082.tif 000002
【図２】
0003830082.tif 000003
【図３】
0003830082.tif 000004